(57)【要約】【課題】所定の領域への出入に伴う物品の管理の厳正化を図る。【解決手段】物品管理システム１は、操作者の操作により、当該操作者が所定の領域へ入ること、及び、所定の領域から出ることの少なくとも一方を管理する移動管理部（カードリーダ２、管理コンピュータ４）と、物品を保管する保管部３１を有しかつ、操作者の操作によって、保管部に物品を入れること、又は、保管部から物品を出すことを管理する物品管理部（物品管理装置３）と、を備える。移動管理部の操作状況と物品管理部の操作状況とに基づいて、移動管理部が操作されると共に、物品管理部が操作されたときには、特定処理を行わず、移動管理部が操作される一方、物品管理部が操作されないときには、特定処理を行う。【選択図】図１
2019144688.tif 000002
【特許請求の範囲】
【請求項１】
操作者が操作を行って所定の領域へ入ること、及び、操作者が操作を行って所定の領域から出ることの少なくとも一方を管理する移動管理部と、
物品を保管する保管部を有しかつ、操作者が操作を行って前記保管部に物品を入れること、又は、操作者が操作を行って前記保管部から物品を出すことを管理する物品管理部と、を備え、
前記移動管理部の操作状況と前記物品管理部の操作状況とに基づいて、前記移動管理部が操作されると共に、前記物品管理部が操作されたときには、特定処理を行わず、前記移動管理部が操作される一方、前記物品管理部が操作されないときには、特定処理を行う物品管理システム。
【請求項２】
操作者が前記所定の領域に入る操作を行う前又は行った後に、物品を前記保管部に入れる操作が行われたときには前記特定処理を行わず、操作者が前記所定の領域に入る操作を行う前又は行った後に、物品を前記保管部に入れる操作が行われないときには前記特定処理を行う請求項１に記載の物品管理システム。
【請求項３】
操作者が前記所定の領域から出る操作を行う前又は行った後に、物品を前記保管部から出す操作が行われたときには前記特定処理を行わず、操作者が前記所定の領域から出る操作を行う前又は行った後に、物品を前記保管部から出す操作が行われないときには前記特定処理を行う請求項１又は２に記載の物品管理システム。
【請求項４】
操作者が前記所定の領域から出る操作を行う前又は行った後に、物品を前記保管部に入れる操作が行われたときには前記特定処理を行わず、操作者が前記所定の領域から出る操作を行う前又は行った後に、物品を前記保管部に入れる操作が行われないときには前記特定処理を行う請求項１〜３のいずれか１項に記載の物品管理システム。
【請求項５】
操作者が前記所定の領域に入る操作を行う前又は行った後に、物品を前記保管部から出す操作が行われたときには前記特定処理を行わず、操作者が前記所定の領域に入る操作を行う前又は行った後に、物品を前記保管部から出す操作が行われないときには前記特定処理を行う請求項１〜４のいずれか１項に記載の物品管理システム。
【請求項６】
前記特定処理として、予め設定した出力先に通知を行う請求項１〜５のいずれか１項に記載の物品管理システム。
【請求項７】
前記特定処理として、前記操作者に報知を行う請求項１〜６のいずれか１項に記載の物品管理システム。
【請求項８】
前記特定処理として、前記所定の領域の出入口を開閉するロック機構を施錠する、又は、施錠状態に維持する請求項１〜７のいずれか１項に記載の物品管理システム。
【請求項９】
操作者が操作を行って所定の領域へ入ること、及び、操作者が操作を行って所定の領域から出ることの少なくとも一方を管理する移動管理装置に接続された物品管理装置であって、
物品を保管する保管部と、
操作者が操作を行って前記保管部に物品を入れること、又は、操作者が操作を行って前記保管部から物品を出すことを管理する制御部と、
操作者が操作を行ったときに、前記移動管理装置に、操作完了信号を出力する出力部と、を備えている物品管理装置。
【請求項１０】
操作者の認証を行う認証部と、
認証した操作者が操作を行うことによって、物品を入れる、又は、物品を出す保管部と、
前記保管部が操作されたことと、認証結果とに基づいて、前記操作者が所定の領域へ入ること、及び、所定の領域から出ること、の少なくとも一方を許可する移動許可部と、を備えている物品管理装置。
【発明の詳細な説明】
【技術分野】
【０００１】
ここに開示する技術は、物品管理システム及び物品管理装置に関する。
【背景技術】
【０００２】
特許文献１には、企業の社屋や工場内に構築される重要物保管ボックスシステムが記載されている。このシステムは、セキュリティルームの扉の施解錠を制御する入退場扉制御装置と、セキュリティルーム内に設置されたロッカー装置とを備えている。利用者が、ＩＤカードによってセキュリティルームの扉を解錠すると、カードデータがロッカー装置に転送される。セキュリティルームに入室した利用者は、ロッカー装置において暗証番号を入力すれば、当該利用者が使用することが可能なロッカーボックスが解錠して、物品の出し入れを行うことができる。
【先行技術文献】
【特許文献】
【０００３】
【特許文献１】特許第４１８４５８９号公報
【発明の概要】
【発明が解決しようとする課題】
【０００４】
ところで、例えばサーバールーム等の、入退室を管理するよう設定されている領域内には、利用者の私物の持ち込みが禁止される場合がある。この場合、利用者は、当該領域に入室する前、又は、入室した後に、物品管理装置に私物を預けなければならない。利用者はまた、当該領域から退室した後、又は、退室する前に、物品管理装置から私物を取り出すことになる。
【０００５】
しかしながら、従来の物品管理システムは、所定の領域内に入室した利用者が物品管理装置に私物を預けたか否かまでは管理をしない。そのため、利用者は、故意又は過失により、私物を預けないで所定の領域内に入室することがあった。
【０００６】
また、所定の領域内において利用する物品を、当該所定の領域から持ち出すことが禁止される場合がある。この場合、利用者は、当該領域から退室する前に、例えば物品管理装置に物品を預けなければならない。
【０００７】
しかしながら、従来の物品管理システムは、所定の領域から退室する利用者が物品管理装置に持ち出し禁止の物品を預けたか（返却したか）否かまでは管理をしない。そのため、利用者は、故意又は過失により、持ち出し禁止の物品を所定の領域から持ち出すことがあった。
【０００８】
このように、所定の領域を出入りすることに際し、物品の管理を厳正化したいという要求がある。
【０００９】
ここに開示する技術はかかる点に鑑みてなされたものであり、その目的とするところは、所定の領域への出入に伴う物品の管理の厳正化を図ることにある。
【課題を解決するための手段】
【００１０】
ここに開示する技術は、利用者が所定の領域を出入する情報と、当該利用者が物品管理装置を操作する情報とをリンクするようにした。
【００１１】
具体的に、ここに開示する物品管理システムは、操作者が操作を行って所定の領域へ入ること、及び、操作者が操作を行って所定の領域から出ることの少なくとも一方を管理する移動管理部と、物品を保管する保管部を有しかつ、操作者が操作を行って前記保管部に物品を入れること、又は、操作者が操作を行って前記保管部から物品を出すことを管理する物品管理部と、を備え、前記移動管理部の操作状況と前記物品管理部の操作状況とに基づいて、前記移動管理部が操作されると共に、前記物品管理部が操作されたときには、特定処理を行わず、前記移動管理部が操作される一方、前記物品管理部が操作されないときには、特定処理を行う。
【００１２】
移動管理部は、例えば操作者の操作により認証処理を行って、操作者を特定してもよい。操作者が行う認証処理に係る操作は、例えばＩＣチップ又は磁気ストライプを有するＩＤカードの情報をカードリーダに読み取らせる操作としてもよい。また、例えば顔認証や指静脈認証等の生体認証を行う場合には、操作者が自分の顔をカメラに撮像させることや、操作者が自分の指を読取り部にかざすことも、操作者が行う操作に含まれる。
【００１３】
移動管理部は、操作者が所定の領域に入ること、及び、所定の領域から出ることの少なくとも一方を管理する。尚、「所定の領域」は、例えば会社の社屋等の建物、又は、建物内の所定のフロアやサーバールーム等の部屋といった、入室が制限される領域としてもよい。
【００１４】
物品管理部は、所定の領域の出入口の近くに設置され、持ち込み禁止の物品（例えば操作者の私物等）を預けるために利用されるものとしてもよい。また、物品管理部は、例えば所定の領域内に設置され、当該領域から持ち出すことが禁止される物品を保管するために利用されるものとしてもよい。物品管理部も、移動管理部と同様に、認証処理を行うことによって、物品の預け入れ（又は、保管部から取り出した物品の返却）、又は、物品の取り出しを行う操作者を、特定するように構成してもよい。また、物品管理部の操作は、操作者が認証操作を行うこととしてもよいし、操作者が保管部を開閉する操作を行うこととしてもよいし、操作者が実際に、保管部に物品を入れる又は出す操作を行うこととしてもよい。
【００１５】
物品管理システムは、移動管理部が操作されると共に、物品管理部が操作されたときには、特定処理を行わない。これに対し、移動管理部が操作される一方、物品管理部が操作されないときに、物品管理システムは、特定処理を行う。
【００１６】
所定の領域に出入しようとする操作者は、移動管理部を操作する。また、物品管理部に物品を入れようとする操作者、又は、物品管理部から物品を出そうとする操作者は、物品管理部を操作する。移動管理部の操作状況と物品管理部の操作状況との両方に基づくことにより、操作者が所定の領域に出入することと、物品の預け入れ又は取り出しと、をリンクして管理することができる。その結果、物品の持ち込みが禁止されている所定の領域内に物品を持ち込むこと、及び／又は、所定の領域から持ち出し禁止の物品を持ち出すこと、を防止することができ、所定の領域への出入に伴う物品の管理の厳正化を図ることができる。
【００１７】
操作者が前記所定の領域に入る操作を行う前又は行った後に、物品を前記保管部に入れる操作が行われたときには前記特定処理を行わず、操作者が前記所定の領域に入る操作を行う前又は行った後に、物品を前記保管部に入れる操作が行われないときには前記特定処理を行う、としてもよい。
【００１８】
こうすることで、所定の領域に入る際に操作者が保管部に物品を入れないと、特定処理が行われるため、物品（例えば私物）の持ち込みが禁止されている所定の領域内に、物品を持ち込むことを防止することができる。
【００１９】
操作者が前記所定の領域から出る操作を行う前又は行った後に、物品を前記保管部から出す操作が行われたときには前記特定処理を行わず、操作者が前記所定の領域から出る操作を行う前又は行った後に、物品を前記保管部から出す操作が行われないときには前記特定処理を行う、としてもよい。
【００２０】
こうすることで、所定の領域から出る際に操作者が物品を保管部から出さないと、特定処理が行われるため、例えば所定の領域内に入る前に物品管理部に預けた物品を、所定の領域から出る際に取り忘れてしまうことを防止することができる。
【００２１】
操作者が前記所定の領域から出る操作を行う前又は行った後に、物品を前記保管部に入れる操作が行われたときには前記特定処理を行わず、操作者が前記所定の領域から出る操作を行う前又は行った後に、物品を前記保管部に入れる操作が行われないときには前記特定処理を行う、としてもよい。
【００２２】
こうすることで、所定の領域から出る際に操作者が物品を保管部に入れないと、特定処理が行われるため、例えば物品の持ち出しが禁止されている所定の領域から物品を持ち出すことを防止することができる。
【００２３】
操作者が前記所定の領域に入る操作を行う前又は行った後に、物品を前記保管部から出す操作が行われたときには前記特定処理を行わず、操作者が前記所定の領域に入る操作を行う前又は行った後に、物品を前記保管部から出す操作が行われないときには前記特定処理を行う、としてもよい。
【００２４】
こうすることで、所定の領域に入る際に操作者が物品を保管部から出さないと、特定処理が行われるため、例えば所定の領域において必要となる物品を、物品管理部から取り出し忘れてしまうことを防止することができる。
【００２５】
物品管理システムは、前記特定処理として、予め設定した出力先に通知を行う、としてもよい。
【００２６】
予め設定した出力先は、例えば物品管理システムを管理する管理コンピュータや、物品管理システムの管理者等が所持する端末装置としてもよい。予め設定した出力先に通知を行うことにより、システムの管理者は、物品の持ち込みが禁止されている所定の領域内に物品が持ち込まれたこと、又は、持ち込まれた可能性があることを、把握することができる。また、システムの管理者は、例えば物品の持ち出しが禁止されている所定の領域から物品を持ち出されたこと、又は、持ち出された可能性があることを、把握することができる。
【００２７】
尚、所定の領域に入ろうとする操作者が持ち込み禁止の物品を全く所持していない場合は、物品管理部を操作しない。同様に、所定の領域から出ようとする操作者が持ち出し禁止の物品を持っていない場合も、物品管理部を操作しない。従って、移動管理部が操作される一方、物品管理部が操作されないときであっても、必ずしも、物品の持ち込みが禁止されている所定の領域内に物品が持ち込まれたことにならないし、所定の領域から持ち出し禁止の物品が持ち出されたことにもならない。特定処理を、予め設定した出力先に通知を行う処理にすると、物品の管理の厳密性を損なうことなく、物品の管理の運用を柔軟に行うことが可能になる。
【００２８】
物品管理システムは、前記特定処理として、前記操作者に報知を行う、としてもよい。
【００２９】
所定の領域に入ろうとする、又は、所定の領域に入った操作者に報知を行うことにより、物品管理部に物品を預けることを促すことができる。故意又は過失により、物品の持ち込みが禁止されている所定の領域に物品を持ち込んでしまうことを防止することができる。また、所定の領域に入ろうとする、又は、所定の領域に入った操作者に報知を行うことにより、物品管理部から物品を取り出すことを促すこともできる。物品の取り出し忘れを防止することができる。
【００３０】
同様に、所定の領域から出ようとする、又は、所定の領域から出た操作者に報知を行うことにより、物品管理部に物品を返却することを促すことができる。故意又は過失により、所定の領域から、持ち出し禁止の物品を持ち出してしまうことを防止することができる。また、所定の領域から出ようとする、又は、所定の領域から出た操作者に報知を行うことにより、物品管理部に預けていた物品を取り出すことを促すこともできる。物品の取り忘れを防止することができる。
【００３１】
前記特定処理として、前記所定の領域の出入口を開閉するロック機構を施錠する、又は、施錠状態に維持する、としてもよい。
【００３２】
物品管理部に物品を預ける操作、又は、物品管理部から物品を取り出す操作を行わないと出入口が開かないため、物品の持ち込みが禁止されている所定の領域内に物品を持ち込んでしまうことや、所定の領域から持ち出し禁止の物品を持ち出してしまうことを、防止することができる。
【００３３】
ここに開示する装置は、操作者が操作を行って所定の領域へ入ること、及び、操作者が操作を行って所定の領域から出ることの少なくとも一方を管理する移動管理装置に接続された物品管理装置である。
【００３４】
この物品管理装置は、物品を保管する保管部と、操作者が操作を行って前記保管部に物品を入れること、又は、操作者が操作を行って前記保管部から物品を出すことを管理する制御部と、操作者が操作を行ったときに、前記移動管理装置に、操作完了信号を出力する出力部と、を備えている。
【００３５】
ここで、「移動管理装置」は、例えば、所定の領域に出入しようとする操作者が操作を行う操作部（例えばカードリーダ）と、操作部における操作内容に応じて出入口のロック機構を解錠及び施錠する制御部（例えば管理コンピュータ）とによって構成してもよい。
【００３６】
前記の構成によると、物品管理装置の出力部は、操作者が操作を行うことによって保管部に物品が入れられたとき、又は、操作者が操作を行うことによって保管部から物品が出されたときに、操作完了信号を移動管理装置に出力する。移動管理装置は、物品管理装置からの操作完了信号を受けて、前述したように、操作者が所定の領域に出入することと、物品の預け入れ又は取り出しと、をリンクして管理することができる。物品の持ち込みが禁止されている所定の領域内に物品を持ち込むこと、及び／又は、所定の領域から持ち出し禁止の物品を持ち出すこと、を防止することができ、所定の領域への出入に伴う物品の管理の厳正化を図ることができる。
【００３７】
また、ここに開示する別の物品管理装置は、操作者の認証を行う認証部と、認証した操作者が操作を行うことによって、物品を入れる、又は、物品を出す保管部と、前記保管部が操作されたことと、認証結果とに基づいて、前記操作者が所定の領域へ入ること、及び、所定の領域から出ること、の少なくとも一方を許可する移動許可部と、を備えている。
【００３８】
この構成によると、操作者は、認証部によって認証を行うと、保管部に物品を入れる、又は、保管部から物品を出すことができる。また、保管部の操作を行うと、所定の領域へ入ること、及び／又は、所定の領域から出ることが許可される。操作者は、単体の物品管理装置を操作することだけで、所定の領域に出入することと、物品の預け入れ又は取り出しとを行うことができ、操作者の操作が簡略化する。また、当該物品管理装置を用いることによって、物品管理システムが簡略化する。
【発明の効果】
【００３９】
以上説明したように、前記の物品管理システム及び物品管理装置によると、所定の領域への出入に伴う物品の管理を厳正化することができる。
【図面の簡単な説明】
【００４０】
【図１】図１は、物品管理システムの構成例を示す図である。
【図２】図２は、カードリーダの構成例を示すブロック図である。
【図３】図３は、物品管理装置の構成例を示すブロック図である。
【図４】図４は、移動管理装置が記憶する管理データベースの構成例を示す図である。
【図５】図５は、物品管理装置における預け入れ制御の例を示すフローチャートと、カードリーダにおける入室制御の例を示すフローチャートである。
【図６】図６は、管理コンピュータにおける操作者の入室と物品の預け入れとの連携制御の例を示すフローチャートである。
【図７】図７は、図６とは異なる、管理コンピュータにおける操作者の入室と物品の預け入れとの連携制御の例を示すフローチャートである。
【図８】図８は、物品管理装置における取り出し制御の例を示すフローチャートと、カードリーダにおける退室制御の例を示すフローチャートである。
【図９】図９は、管理コンピュータにおける操作者の退室と物品の取り出しとの連携制御の例を示すフローチャートである。
【図１０】図１０は、図１とは構成が異なる物品管理システムの構成例を示す図である。
【図１１】図１１は、図３とは構成が異なる物品管理装置の構成例を示す図である。
【図１２】図１２は、図１及び図１０とは異なる構成の物品管理システムの構成例を示す図である。
【図１３】図１３は、図９とは異なる、管理コンピュータにおける操作者の退室と物品の取り出しとの連携制御の例を示すフローチャートである。
【発明を実施するための形態】
【００４１】
以下、物品管理システム及び物品管理装置の実施形態を図面に基づいて詳細に説明する。以下の説明は、物品管理システム及び物品管理装置の一例である。
【００４２】
（物品管理システムの構成例）
図１は、物品管理システム１の構成例を示している。物品管理システム１は、様々な会社や工場、又は、施設等の建物において、入室及び退室が特定の人に制限される制限対象エリア１０に設けられる。この制限対象エリア１０はまた、入室する人が私物を持ち込むことが禁止されるエリアである。以下において、物品管理システム１が銀行の建物内における所定のフロアである制限対象エリア１０に設けられていると仮定して、物品管理システム１の構成について説明をする。
【００４３】
物品管理システム１は、第１カードリーダ２０１と、第２カードリーダ２０２と、物品管理部としての物品管理装置３と、物品管理システム１の管理コンピュータ４と、第１カードリーダ２０１、第２カードリーダ２０２、物品管理装置３及び管理コンピュータ４のそれぞれが接続されるネットワーク５と、を備えている。第１カードリーダ２０１と、第２カードリーダ２０２と、管理コンピュータ４と、によって、制限対象エリア１０への入退室を管理する移動管理装置（又は移動管理部）が構成されている。
【００４４】
第１カードリーダ２０１は、制限対象エリア１０の外（例えば、制限対象エリア１０に入室するための準備エリア）に設置されている。制限対象エリア１０に入室しようとする操作者は、第１カードリーダ２０１を操作する。第２カードリーダ２０２は、制限対象エリア１０の内に設置されている。制限対象エリア１０から退室しようとする操作者は、第２カードリーダ２０２を操作する。
【００４５】
第１カードリーダ２０１及び第２カードリーダ２０２は、構成が同じである。以下の説明において、第１カードリーダ２０１及び第２カードリーダ２０２を区別しない場合には、単にカードリーダ２と呼ぶ。
【００４６】
物品管理装置３は、制限対象エリア１０の外に設置されている。制限対象エリア１０に入室しようとする操作者は、物品管理装置３に私物を預け入れる。制限対象エリア１０から退室した操作者は、預けていた私物を、物品管理装置３から取り出す。
【００４７】
管理コンピュータ４は、物品管理システム１を管理するためのコンピュータである。前述したように、管理コンピュータ４は、移動管理装置の一部を構成する。管理コンピュータ４は、例えば汎用のコンピュータによって構成してもよい。管理コンピュータ４は、銀行の建物内に設置される場合、及び、当該建物とは異なる場所、例えば銀行の本店や本部に設置される場合がある。
【００４８】
管理コンピュータ４には、管理データベース４１が接続されている。管理データベース４１は、例えばハードディスクドライブ等の記憶媒体によって構成されている。管理データベース４１は、制限対象エリア１０に入室することが許可されている操作者の情報（操作者ＩＤ等）を記憶している。管理データベース４１はまた、詳細は後述するが、図４に示すような、制限対象エリア１０の入退室に係るログ情報を記憶している。
【００４９】
ネットワーク５は、建物内に設けられているＬＡＮ（Local Area Network）、及び／又は、インターネットを含んで構成されている。ネットワーク５は、前述した第１カードリーダ２０１、第２カードリーダ２０２、物品管理装置３及び管理コンピュータ４それぞれの間において、各装置２０１、２０２、３、４から出力された信号を伝送する。
【００５０】
尚、図１において符号６は、タブレット端末６１やスマートホン６２からなる携帯端末６である。これらの携帯端末６は、無線の通信回線を通じて管理コンピュータ４に接続されている。後述するように、これらの携帯端末６は、物品管理システム１に係る管理者が所持する。管理者は、銀行においては、例えば役席者である。
【００５１】
（カードリーダの構成例）
図２は、カードリーダ２の構成例を示している。カードリーダ２は、表示部２１、操作部２２、スピーカ２３、記憶部２４、認証部２５、通信部２６、施解錠部２７、及び、制御部２８を備えている。
【００５２】
表示部２１は、例えばフラットパネルディスプレイによって構成され、操作者に向けて情報を表示する。操作部２２は、例えばテンキー式の入力装置によって構成され、操作者の操作を受け付ける。操作者は、認証用の暗証番号を入力するために、操作部２２を操作する場合がある。表示部２１と操作部２２とを一体化してもよい（例えばタッチパネル）。表示部２１はまた、例えばＬＥＤ等を点灯、点滅、及び消灯することによりに操作者に情報を表示することも含む。スピーカ２３は、様々な音や音声によって、操作者に対して情報を伝える。
【００５３】
記憶部２４は、例えばハードディスクドライブや、不揮発性メモリによって構成され、各種の情報を記憶する。認証部２５は、操作者が所持しているカード情報の読み取るカードリーダ、及び／又は、例えば指静脈認証等の、操作者に対する生体認証処理機等によって構成され、操作者の認証を行う。通信部２６は、ネットワーク５における信号の送受信を行う。施解錠部２７は、制限対象エリア１０の出入口１１に設けた扉のロック機構を解錠及び施錠する。
【００５４】
制御部２８は、後述するように、認証部２５による認証結果を、通信部２６を通じて管理コンピュータ４に送信すると共に、通信部２６を通じて管理コンピュータ４からの扉開信号を受けたときに、施解錠部２７によって、出入口１１の扉のロック機構を解錠する。制御部２８は、ロック機能の解錠後に扉が開閉すれば、又は、扉が開閉しないまま所定時間が経過すれば、扉のロック機構を施錠する。
【００５５】
（物品管理装置の構成例）
図３は、物品管理装置３の構成例を示している。物品管理装置３は、物品を保管する保管部３１と、保管部３１に物品を預け入れること、及び、保管部３１から物品を取り出すことを管理する制御部３２とを備えている。
【００５６】
保管部３１は、図１及び図３に示すように、引き出し可能な複数のボックス３１１〜３１ｎを有している。尚、ボックスの数は、適宜の数にすることが可能である。操作者は、ボックスを手前に引き出すことによって、物品をボックス内に入れたり、ボックスから物品を出したりすることができる。図示は省略するが、第１〜第ｎボックス３１１〜３１ｎはそれぞれ、個別に、ロック機構を有している。ロック機構は、例えば電磁ロックによって構成してもよい。各ボックス３１１〜３１ｎは、制御部３２からの制御信号に基づいてロック機構を解錠及び施錠する。操作者は、ロック機構が解錠しているボックスを引き出すことができ、ロック機構が施錠しているボックスは引き出すことができない。
【００５７】
物品管理装置３はまた、表示操作部３３、記憶部３４、認証部３５、及び、出力部としての通信部３６を備えている。表示操作部３３は、物品管理装置３の前面に取り付けられた、例えばタッチパネルによって構成され、操作者に向けて情報を表示すると共に、操作者の操作を受け付ける。表示操作部３３は、表示を行う表示部と、操作者の操作を受け付ける操作部とに分けてもよい。記憶部３４は、例えばハードディスクドライブや、不揮発性メモリによって構成され、各種の情報を記憶する。認証部３５は、操作者が所持しているカード情報を読み取るカードリーダ、例えば指静脈認証等の、操作者に対する生体認証処理機、及び／又は、操作者が暗証番号を入力するテンキー等によって構成され、操作者の認証を行う。通信部３６は、ネットワーク５における信号の送受信を行う。
【００５８】
制御部３２は、認証部３５による認証結果に基づいて操作者を特定すると共に、特定された操作者に割り当てられているボックス、又は、使用されていないボックスのロック機構を解錠する。これにより、操作者は、ロック機構が解錠されたボックスを引き出して物品（例えば私物）をボックスに預け入れたり、ボックスに入っている物品（例えば預け入れていた私物）を取り出したりすることができる。
【００５９】
尚、物品管理装置３は、例えば感熱式プリンタや、インクジェットプリンタによって構成され、各種の情報を印刷するプリンタを備えていてもよい。
【００６０】
また、物品管理装置３は、図１に示すような引き出し式のボックスを有する、比較的小型の装置であることに限らず、図示は省略するが、例えば、収納容量が大きいロッカー式の収納部を有する、比較的大型の装置であってもよい。また、物品管理装置３は、物品管理システム１において、一つに限らず、複数であってもよい。
【００６１】
（制限対象エリアの入退室に伴う物品管理の制御）
次に、物品管理システム１における、物品管理の制御について説明をする。前述したように、制限対象エリア１０は、私物の持ち込みが禁止されている。物品管理システム１は、制限対象エリア１０に入室しようとする操作者が、私物を物品管理装置３に預け入れたか否かを監視し、預け入れていないときには、物品管理システム１の管理者（ここでは、当該銀行の役席者）に通知をするよう構成されている。これにより、物品管理システム１は、制限対象エリア１０への出入に伴う物品の管理の厳正化を図る。
【００６２】
（入室時の制御）
図５及び図６は、制限対象エリア１０へ入室する際の、カードリーダ２（この場合は、第１カードリーダ２０１）、物品管理装置３、及び、管理コンピュータ４の制御フローを示している。具体的に、図５における左のフローは、物品管理装置３の制御部３２が実行する物品の預け入れ制御のフロー５１であり、右のフローは、カードリーダ２の制御部２８が実行する入室制御のフロー５２である。また、図６は、管理コンピュータ４が実行する入室時の連携制御のフローである。
【００６３】
制限対象エリア１０に入室しようとする操作者は、通常は、物品管理装置３において、私物を預ける操作を行った後、カードリーダ２の操作を行って、出入口１１の扉を解錠し、制限対象エリア１０に入室する。尚、このシステムでは、カードリーダ２の操作を行って、出入口１１の扉を解錠した後に、物品管理装置３において、物品管理装置３に私物を預ける操作を行うことも許容される。
【００６４】
先ず、物品管理装置３の制御フロー５１において、制御部３２は、最初のステップＳ５１１において、操作者が認証操作を行うことによる、操作者のＩＤデータを読み取ったか否かを判定する。ＩＤデータを読み取っていないときには、制御プロセスは、ステップＳ５１１を繰り返し、ＩＤデータを読み取ったときには、制御プロセスは、ステップＳ５１２に進む。
【００６５】
ステップＳ５１２において制御部３２は、ＩＤ認証を行う。認証がＯＫであるときには、制御プロセスは、ステップＳ５１３からステップＳ５１５に進み、表示操作部３３を通じて、操作者に、認証がＯＫである旨を報知する。一方、認証がＮＧであるときには、制御プロセスは、ステップＳ５１３からステップＳ５１４に進み、表示操作部３３を通じて、操作者に、認証がＮＧである旨を報知する。制御プロセスは、その後、ステップＳ５１１に戻る。
【００６６】
ステップＳ５１５に続くステップＳ５１６において、制御部３２は、当該操作者に対応するボックスのロック機構を解錠する。制御部３２は、前述したように、認証処理によって特定された操作者に割り当てられているボックス、又は、使用されていないボックスのロック機構を解錠する。操作者は、ロック機構が解錠されたボックスを手前に引き出して、私物をボックスに入れる。私物をボックスに入れ終わると、操作者はボックスを奥に押し込んで、ボックスを閉じる。ボックスが閉じられると、制御部３２はボックスのロック機構を施錠する。
【００６７】
ステップＳ５１７において、制御部３２は、ボックスが閉じられたか否かを判定し、ボックスが閉じられると、制御部３２は、ステップＳ５１８において物品が預け入れられたことを意味する預入データ（つまり、操作完了信号）を、管理コンピュータ４に送信する。預入データには、例えば物品を預け入れた操作者を特定する操作者ＩＤ、物品を預け入れた日時、及び、物品を預け入れたボックスを特定する情報（ボックスＮＯ．）を含めてもよい（図４も参照）。
【００６８】
一方、カードリーダ２の制御フロー５２において、制御部２８は、最初のステップＳ５２１において、操作者が認証操作を行うことによる、操作者のＩＤデータを読み取ったか否かを判定する。ＩＤデータを読み取っていないときには、制御プロセスは、ステップＳ５２１を繰り返し、ＩＤデータを読み取ったときには、制御プロセスは、ステップＳ５２２に進む。
【００６９】
ステップＳ５２２において制御部２８は、ＩＤ認証を行う。認証がＯＫであるときには、制御プロセスは、ステップＳ５２３からステップＳ５２５に進み、表示部２１、及び／又は、スピーカ２３を通じて、操作者に、認証がＯＫである旨を報知する。一方、認証がＮＧであるときには、制御プロセスは、ステップＳ５２３からステップＳ５２４に進み、表示部２１、及び／又は、スピーカ２３を通じて、操作者に、認証がＮＧである旨を報知する。制御プロセスは、その後、ステップＳ５２１に戻る。
【００７０】
ステップＳ５２５に続くステップＳ５２６において、制御部２８は、当該操作者に関する入室データを、管理コンピュータ４に送信する。入室データには、少なくとも操作者を特定するＩＤ情報が含まれている。
【００７１】
ステップＳ５２７において、制御部２８は、後述するように管理コンピュータ４からの扉開信号を受信したか否かを判定する。扉開信号を受信したときには、続くステップＳ５２８において、制御部２８は、施解錠部２７を通じて出入口１１の扉のロック機構を解錠する。操作者は、扉を開けると共に、出入口１１を通って制限対象エリア１０に入室する。扉が閉まると、ロック機構は施錠される。
【００７２】
次に、図６に示す管理コンピュータ４の制御フローにおいて、管理コンピュータ４は、ステップＳ６１において、物品管理装置３からの預入データを受信したか否かを判定する。預入データを受信したときには、続くステップＳ６２において、管理コンピュータ４は管理データベース４１を更新する。管理データベース４１には、図４に例示するように、入退室に係るログ情報として、操作者のＩＤ情報と対応付けられて、物品管理装置３に物品を預け入れした日時、及び、物品を預け入れしたボックスの番号（ボックスＮＯ．）が記憶される。
【００７３】
ステップＳ６３において、管理コンピュータ４は、カードリーダ２からの入室データを受信したか否かを判定する。入室データを受信したときには、続くステップＳ６４において、管理コンピュータ４は、管理データベース４１に記憶している情報に基づき、当該操作者の制限対象エリア１０への入室を許可するときには、扉開信号をカードリーダ２に送信する。尚、図６には記載していないが、制限対象エリア１０への入室を許可しないときには、管理コンピュータ４は、扉開信号をカードリーダ２に送信しない。
【００７４】
尚、図６に示す管理コンピュータ４の制御フローにおいて、ステップＳ６１及びＳ６２と、ステップＳ６３及びＳ６４は、並列に行っており、操作者による物品管理装置３の操作と、カードリーダ２の操作との順番は問わない。管理コンピュータ４の制御フローにおいて、物品管理装置３の操作と、カードリーダ２の操作との順番を定めてもよい。具体的には、物品管理装置３の操作が先に行われ、カードリーダ２の操作が後に行われるようにステップＳ６１〜Ｓ６４の順番を定めてもよい。
【００７５】
ステップＳ６５において、管理コンピュータ４は、預入データと入室データとが整合しているか否かを判定する。つまり、ステップＳ６１で預入データを受信し、ステップＳ６３で入室データを受信したか否かを判定する。同一の操作者ＩＤについて、預入データ及び入室データの両方を受信したときには、制御プロセスはステップＳ６５からステップＳ６６に進む。預入データ及び入室データの一方のみを受信しているときには、制御プロセスはステップＳ６５からステップＳ６７に進む。
【００７６】
ステップＳ６７において管理コンピュータ４は、予め設定した制限時間を超えたか否かを判定し、制限時間を超えていないときにはステップＳ６１又はステップＳ６３に戻って、受信をしていない預入データ又は入室データを待つ。預入データ又は入室データを受信すれば、ステップＳ６５の判定がＹＥＳになるため、制御フローは、ステップＳ６６に進む。これに対し、預入データ及び入室データの一方のみを受信した状態のままで制限時間を超えたときには、制御プロセスはステップＳ６７からステップＳ６８に進む。
【００７７】
ステップＳ６６において、管理コンピュータ４は、ＯＫ処理を行う。制限対象エリアに入室する操作者は、物品管理装置３に私物を預け入れる操作を行っていることから、管理コンピュータ４は、ＯＫ処理として管理データベース４１を更新する。管理データベース４１には、図４に例示するように、操作者のＩＤ情報と対応付けられて、操作者が制限対象エリア１０に入室した日時が記憶される。また、管理データベース４１には、「入退出判定」として、入室時の物品管理が「ＯＫ」である旨が記憶される（例えば図４におけるＮｏ．５のログ情報を参照）。
【００７８】
一方、ステップＳ６８において、管理コンピュータ４は、ＮＧ処理（つまり、特定処理）を行う。管理コンピュータ４は、管理データベース４１に、入室時の物品管理が「ＮＧ」である旨を記憶する（例えば図４におけるＮｏ．３のログ情報を参照）。管理コンピュータ４はまた、ＮＧ処理として、携帯端末６に通知を行う。携帯端末６に通知する内容は、「制限対象エリア１０に入室した操作者が、物品管理装置３を操作していないため、私物を制限対象エリア１０に持ち込んだ可能性があること」である。これにより、携帯端末６を所持している管理者は、当該操作者に、私物の持ち込みの有無を、別途、確認をすることができる。
【００７９】
このように、制限対象エリア１０への入室時に、カードリーダ２の操作状況と物品管理装置３の操作状況とをリンクさせることにより、制限対象エリア１０に私物が持ちこまれることを防止することができる。制限対象エリア１０への入室に伴う物品の管理の厳正化を図ることができる。
【００８０】
尚、管理コンピュータ４は、ＮＧ処理として、携帯端末６に通知を行うことに代えて、又は、携帯端末６に通知を行うことと共に、カードリーダ２の表示部２１やスピーカ２３、又は、物品管理装置３の表示操作部３３を通じて、制限対象エリア１０に入室しようとする操作者に対し、私物を持ち込んでいる可能性がある旨を警告してもよい。こうすることで、私物を預け忘れていた操作者は、そのことに気づいて、物品管理装置３に私物を預けることができる。また、故意に私物を持ちこもうとしている操作者が、私物の持ち込みをやめることが期待できる。いずれにしても、制限対象エリア１０に私物が持ちこまれることを防止することができる。
【００８１】
但し、制限対象エリア１０に入室しようとする操作者が持ち込み禁止の私物を全く所持していない場合は、物品管理装置３を操作しない。従って、カードリーダ２が操作される一方、物品管理装置３が操作されないときであっても、必ずしも、制限対象エリア１０に私物が持ち込まれたことにならない。管理コンピュータ４が、ＮＧ処理として、携帯端末６に通知したり、カードリーダ２や物品管理装置３を通じて操作者に報知したりする一方で、出入口１１の扉を解錠することにより、操作者が制限対象エリア１０に入室することは許容される。この構成により、物品管理システム１は、物品の管理の厳密性を損なうことなく、物品の管理の運用を柔軟に行うことが可能になる
ここで、図６に示す管理コンピュータ４の制御フローにおいては、カードリーダ２から入室データを受けた管理コンピュータ４は、物品管理装置３の操作を行っていなくても、制限対象エリア１０の出入口１１の扉を開ける扉開信号を、カードリーダ２に送信している（ステップＳ６４）。これとは異なり、管理コンピュータ４の制御フローとしては、カードリーダ２の操作のみが行われかつ、物品管理装置３の操作が行われていないときには、扉開信号を送信せず、物品管理装置３の操作と、カードリーダ２の操作との両方が行われたときに、扉開信号を送信してもよい。
【００８２】
具体的に、図７に示すフローチャートは、入室時における、管理コンピュータ４の制御の変形例を示している。図７のフローにおけるステップＳ７１〜Ｓ７３、Ｓ７５、Ｓ７７、及び、Ｓ７８はそれぞれ、図６のフローにおけるステップＳ６１〜Ｓ６３、Ｓ６５、Ｓ６７、及び、Ｓ６８に対応する。図７のフローにおいては、図６のフローにおけるステップＳ６４が省略されている。つまり、カードリーダ２からの入室データを受信したときに、管理コンピュータ４は、扉開信号を送信しない。
【００８３】
管理コンピュータ４は、カードリーダ２からの入室データと、物品管理装置３からの預入データとを受信すれば（つまり、ステップＳ７５の判定がＹＥＳであれば）、ステップＳ７６において、管理データベース４１の更新と共に、カードリーダ２に扉開信号を送信する。カードリーダ２に扉開信号を送信することは、ＯＫ処理に相当する。一方、管理コンピュータ４が、カードリーダ２からの入室データと、物品管理装置３からの預入データとの両方を受信することなく制限時間が経過すると、ステップＳ７７の判定がＹＥＳになり、管理コンピュータ４は、ステップＳ７８において、ＮＧ処理を行う。管理コンピュータ４はＮＧ処理として、例えば、カードリーダ２や物品管理装置３を通じて、操作者に、私物を持ち込もうとしている可能性がある旨を警告してもよい。また、このときのＮＧ処理には、出入口１１のロック機構を解錠しないという処理も含まれる。この制御は、物品管理装置３を操作しないと出入口１１が解錠しないため、制限対象エリア１０への私物の持ち込みを、より厳密に禁止することが可能になる。
【００８４】
尚、管理コンピュータ４は、ステップＳ７８のＮＧ処理として、ロック機構を施錠する施錠信号を出力し、カードリーダ２は、出入口１１のロック機構を、解錠状態から施錠状態にする、又は、施錠状態に維持する、ようにしてもよい。
【００８５】
（退室時の制御）
図８及び図９は、制限対象エリア１０から退室する際の、カードリーダ２（この場合は、第２カードリーダ２０２）、物品管理装置３、及び、管理コンピュータ４の制御フローを示している。具体的に、図８における左のフローは、物品管理装置３の制御部３２が実行する物品の取り出し制御のフロー８１であり、右のフローは、カードリーダ２の制御部２８が実行する退室制御のフロー８２である。また、図９は、管理コンピュータ４が実行する退室時の連携制御のフローである。
【００８６】
制限対象エリア１０から退室しようとする操作者は、物品管理装置３が制限対象エリア１０の外に設置されているため、通常は、カードリーダ２の操作を行って、出入口１１の扉を解錠し、制限対象エリア１０から退室した後、入室時に預け入れをした物品を、物品管理装置３から取り出す。
【００８７】
先ず、カードリーダ２の制御フロー８２において、制御部２８は、最初のステップＳ８２１において、操作者が認証操作を行うことによる、操作者のＩＤデータを読み取ったか否かを判定する。ＩＤデータを読み取っていないときには、制御プロセスは、ステップＳ８２１を繰り返し、ＩＤデータを読み取ったときには、制御プロセスは、ステップＳ８２２に進む。
【００８８】
ステップＳ８２２において制御部２８は、ＩＤ認証を行い、認証がＯＫであるときには、制御プロセスは、ステップＳ８２３からステップＳ８２５に進み、表示部２１、及び／又は、スピーカ２３を通じて、操作者に、認証がＯＫである旨を報知する。このとき、当該操作者による物品の預け入れの有無を管理コンピュータ４に確認し、物品が預け入れられている場合には、預け入れられた物品を退室後に取出すことを促すメッセージを操作者に報知するようにしてもよい。一方、認証がＮＧであるときには、制御プロセスは、ステップＳ８２３からステップＳ８２４に進み、表示部２１、及び／又は、スピーカ２３を通じて、操作者に、認証がＮＧである旨を報知する。制御プロセスは、その後、ステップＳ８２１に戻る。
【００８９】
ステップＳ８２５に続くステップＳ８２６において、制御部２８は、当該操作者に関する退室データを、管理コンピュータ４に送信する。退室データには、少なくとも操作者を特定するＩＤ情報が含まれている。
【００９０】
ステップＳ８２７において、制御部２８は、後述するように管理コンピュータ４からの扉開信号を受信したか否かを判定し、受信したときには、続くステップＳ８２８において、出入口１１の扉のロック機構を解錠する。操作者は、扉を開けると共に、出入口１１を通って制限対象エリア１０から退室する。
【００９１】
次に、物品管理装置３の制御フロー８１において、制御部３２は、最初のステップＳ８１１において、操作者が認証操作を行うことによる、操作者のＩＤデータを読み取ったか否かを判定する。ＩＤデータを読み取っていないときには、制御プロセスは、ステップＳ８１１を繰り返し、ＩＤデータを読み取ったときには、制御プロセスは、ステップＳ８１２に進む。
【００９２】
ステップＳ８１２において制御部３２は、ＩＤ認証を行い、認証がＯＫであるときには、制御プロセスは、ステップＳ８１３からステップＳ８１５に進み、表示操作部３３を通じて、操作者に、認証がＯＫである旨を報知する。一方、認証がＮＧであるときには、制御プロセスは、ステップＳ８１３からステップＳ８１４に進み、表示操作部３３を通じて、操作者に、認証がＮＧである旨を報知する。制御プロセスは、その後、ステップＳ８１１に戻る。
【００９３】
ステップＳ８１５に続くステップＳ８１６において、制御部３２は、当該操作者に対応するボックスのロック機構を解錠する。つまり、制御部３２は、認証処理によって特定をした操作者が、物品を預け入れているボックスのロック機構を解錠する。操作者は、ロック機構が解錠されたボックスを手前に引き出して、預けていた私物をボックスから出す。私物をボックスから出し終わると、操作者はボックスを奥に押し込んで、ボックスを閉じる。
【００９４】
ステップＳ８１７において、制御部３２は、ボックスが閉じられたか否かを判定し、ボックスが閉じられると、制御部３２は、ステップＳ８１８において物品が取り出されたことを意味する取出データ（つまり、操作完了信号）を、管理コンピュータ４に送信する。取出データには、例えば物品を取り出した操作者を特定する操作者ＩＤ、物品を取り出した日時、及び、物品を取り出したボックスを特定する情報を含めてもよい。
【００９５】
図９に示す管理コンピュータ４の制御フローにおいて、管理コンピュータ４は、ステップＳ９１において、カードリーダ２からの退室データを受信したか否かを判定する。退室データを受信したときには、続くステップＳ９２において、管理コンピュータ４は、扉開信号をカードリーダ２に送信する。
【００９６】
管理コンピュータ４は、ステップＳ９３において、物品管理装置３からの取出データを受信したか否かを判定する。取出データを受信したときには、続くステップＳ９４において、管理コンピュータ４は管理データベース４１を更新する。管理データベース４１には、図４に例示するように、操作者のＩＤ情報と対応付けられて、物品管理装置３から物品を取り出した日時が記憶される。
【００９７】
尚、図９に示す管理コンピュータ４の制御フローにおいても、ステップＳ９１及びＳ９２と、ステップＳ９３及びＳ９４は、並列に行っており、操作者による物品管理装置３の操作と、カードリーダ２の操作との順番は問わない。但し、前述の通り、物品管理装置３は、制限対象エリア１０の外に設置されているため、管理コンピュータ４の制御フローにおいて、物品管理装置３の操作と、カードリーダ２の操作との順番を定めてもよい。具体的には、カードリーダ２の操作が先に行われ、物品管理装置３の操作が後に行われるようにステップＳ９１〜Ｓ９４の順番を定めてもよい。
【００９８】
ステップＳ９５において、管理コンピュータ４は、取出データと退室データとが整合しているか否かを判定する。つまり、ステップＳ９１で退室データを受信し、ステップＳ９３で取出データを受信したか否かを判定する。同一の操作者ＩＤについて、取出データ及び退室データの両方を受信したときには、制御プロセスはステップＳ９５からステップＳ９６に進む。取出データ及び退室データの一方のみを受信しているとき（通常は、退室データのみを受信しているとき）には、制御プロセスはステップＳ９５からステップＳ９７に進む。
【００９９】
ステップＳ９７において管理コンピュータ４は、予め設定した制限時間を超えたか否かを判定し、制限時間を超えていないときにはステップＳ９１又はステップＳ９３に戻って、受信をしていない退室データ又は取出データを待つ。退室データ又は取出データを受信すれば、ステップＳ９５の判定がＹＥＳになるため、制御フローは、ステップＳ９６に進む。これに対し、退室データ及び取出データの一方のみを受信した状態のままで制限時間を超えたときには、制御プロセスはステップＳ９７からステップＳ９８に進む。
【０１００】
ステップＳ９６において、管理コンピュータ４は、ＯＫ処理を行う。制限対象エリアから退室した操作者は、物品管理装置３から私物を取り出す操作を行っていることから、管理コンピュータ４は、ＯＫ処理として、管理データベース４１を更新する。管理データベース４１には、図４に例示するように、操作者のＩＤ情報と対応付けられて、操作者が制限対象エリア１０から退室した日時が記憶される。また、管理データベース４１には、「入退出判定」として、退室時の物品管理が「ＯＫ」である旨が記憶される。
【０１０１】
一方、ステップＳ９８において、管理コンピュータ４は、ＮＧ処理（つまり、特定処理）を行う。管理コンピュータ４は、管理データベース４１に、退室時の物品管理が「ＮＧ」である旨を記憶する（例えば図４におけるＮｏ．４のログ情報を参照）。管理コンピュータ４はまた、ＮＧ処理として、カードリーダ２の表示部２１やスピーカ２３、又は、物品管理装置３の表示操作部３３を通じて、制限対象エリア１０から退室した操作者に対し、物品管理装置３から物品を取り出していない可能性がある旨を警告してもよい。こうすることで、私物を取り忘れていた操作者は、そのことに気づいて、物品管理装置３から私物を取り出すことができる。
【０１０２】
尚、管理コンピュータ４は、ＮＧ処理として、カードリーダ２又は物品管理装置３を通じて操作者に報知をすることに代えて、又は、操作者に報知をすることと共に、携帯端末６に通知を行ってもよい。携帯端末６に通知する内容は、「制限対象エリア１０から退室した操作者が、物品管理装置３を操作していないため、私物を物品管理装置３に置き忘れている可能性がある」ことである。これにより、携帯端末６を所持している管理者は、当該操作者に、私物の置き忘れの有無を、別途、確認をすることができる。物品管理装置３に私物の置き忘れが溜まってしまうことが防止され、物品管理装置３の運用がスムースになる。
【０１０３】
また、制限対象エリア１０から退室する操作者が、私物を物品管理装置３に預けていない場合は、物品管理装置３を操作しない。従って、カードリーダ２が操作される一方、物品管理装置３が操作されないときであっても、必ずしも、私物を取り忘れていることにはならない。管理コンピュータ４が、ＮＧ処理として、携帯端末６に通知したり、カードリーダ２や物品管理装置３を通じて操作者に報知したりする一方で、出入口１１の扉を解錠することにより、操作者が制限対象エリア１０に入室することは許容される。物品管理システム１は、物品の管理の厳密性を損なうことなく、物品の管理の運用を柔軟に行うことが可能になる。
【０１０４】
管理コンピュータ４はまた、ステップＳ９１において退室データを受信したときに、管理データベース４１を参照することにより、当該操作者が、入室時に私物を物品管理装置３に預け入れているか否かを判断し、私物を預け入れていないときには、ステップＳ９３〜Ｓ９５、Ｓ９７、Ｓ９８を省略するようにしてもよい。
【０１０５】
（物品管理装置に係る変形例）
前述した物品管理システム１は、カードリーダ２と物品管理装置３とを別体に構成しているが、カードリーダ２と物品管理装置３とを一体に構成してもよい。図１０は、物品管理装置３０に出入口１１の扉のロック機構を解錠及び施錠する機能を付加した、物品管理システム１００の構成を示している。物品管理装置３０は、図１１に示すように、例えば図３に示す物品管理装置３に、図２に示すカードリーダ２の施解錠部２７と同様の施解錠部３７を追加する構成としてもよい。尚、物品管理システム１００において、図１の物品管理システム１と同じ構成については、同じ符号を付している。
【０１０６】
物品管理システム１００において、物品管理装置３０は、図５のフローに準じた制御を行う。つまり、図５の制御フロー５１におけるステップＳ５１１〜Ｓ５１５の認証処理と、認証ＯＫ後の、ステップＳ５１６〜Ｓ５１８の物品の預入処理、及び、制御フロー５２におけるステップＳ５２６〜Ｓ５２８の操作者の入室処理と、を実行する。
【０１０７】
具体的に、操作者は、制限対象エリア１０への入室時には、物品管理装置３０において認証操作を行う（ステップＳ５１１〜Ｓ５１５）。認証結果に応じて、物品管理装置３０は、当該操作者に対応するボックスのロック機構を解錠し、操作者による物品の預け入れを可能にする（ステップＳ５１６）。ボックスが開けられて物品が預け入れられれば、物品管理装置３０は、預入データを管理コンピュータ４に送信する（ステップＳ５１７〜Ｓ５１８）。物品管理装置３０はまた、管理コンピュータ４に入室データを送信すると共に、管理コンピュータ４からの扉開信号に基づいて出入口１１の扉のロック機構を解錠する（ステップＳ５２６〜Ｓ５２８）。
【０１０８】
管理コンピュータ４は、図７の制御フローに準じて制御を行う。つまり、物品管理装置３０から預入データと入室データとの両方を受信すれば、管理データベース４１の更新と共に、物品管理装置３０に扉開信号を送信する（ステップＳ７１〜Ｓ７６）。
【０１０９】
例えば物品管理装置３０のボックスが開けられないと、物品管理装置３は預入データを送信しないため、所定時間の経過後、管理コンピュータ４は、ＮＧ処理を行う（ステップＳ７７〜Ｓ７８）。管理コンピュータ４は、ＮＧ処理として、物品管理装置３０を通じて、操作者に対し、私物を持ち込もうとしている可能性がある旨を警告してもよい。また、操作者に対する報知に代えて、又は、報知と共に、携帯端末６に通知を行ってもよい。尚、管理コンピュータ４が扉開信号を送信しないことも、ＮＧ処理の一つである。
【０１１０】
尚、物品管理システム１００において、退室時の制御は、図８及び図９に示す制御フローと実質的に同じである。
【０１１１】
物品管理システム１００においては、物品管理装置３０が、カードリーダ２を兼用している。つまり、物品管理装置３０は、図１１に示すように、操作者の認証を行う認証部３５と、認証した操作者が操作を行うことによって、物品を入れる、又は、物品を出す保管部３１と、保管部３１が操作されたことと、認証結果とに基づいて、操作者が所定の領域へ入ること、及び、所定の領域から出ること、の少なくとも一方を許可する移動許可部としての施解錠部３７と、を備えている。操作者は、物品管理装置３０のみを操作することにより、制限対象エリア１０への入室のための操作と、物品管理装置３０に物品を預け入れるための操作との両方を行うことができる。操作者の操作を簡略化することができ、操作者の利便性を向上させることができる。
【０１１２】
また、物品管理システム１００の構成を簡略化することもできる。
【０１１３】
（物品管理システムに係る変形例）
図１２は、図１とは異なる構成の物品管理システムを示している。この物品管理システム１０１は、物品管理装置３が、制限対象エリア１０内に設けられている。尚、図１２において、図１の物品管理システム１と同じ構成については、同じ符号を付している。
【０１１４】
物品管理システム１０１において、入室時の制御は、図５及び図６に準じて行われる。但し、物品管理システム１０１においては、操作者は、制限対象エリア１０に入室した後に、物品管理装置３に物品を預け入れるため、操作者がカードリーダ２において認証操作を行い、カードリーダが出入口１１のロック機構を解錠する際に、カードリーダ２は、表示部２１やスピーカ２３を通じて、「入室後に、私物を物品管理装置３に預け入れる」旨の通知を、操作者に対して行ってよい。
【０１１５】
管理コンピュータ４は、操作者の入室後、物品管理装置３からの預入データを受信しないときには、ステップＳ６８においてＮＧ処理を実行する。ＮＧ処理は、具体的には、前述したように、携帯端末６に通知を行ってもよいし、物品管理装置３を通じて操作者に警告を行ってもよい。
【０１１６】
物品管理システム１０１において、退室時の制御は、図８及び図９に準じて行われる。但し、物品管理システム１０１においては、操作者は、制限対象エリア１０から退室する前に、物品管理装置３から物品を取り出す。このため、操作者がカードリーダ２において認証操作を行い、カードリーダが出入口１１のロック機構を解錠する際に、物品管理装置３から物品が取り出されていないときには、管理コンピュータ４のＮＧ処理の一つとして、カードリーダ２の表示部２１やスピーカ２３を通じて、「物品管理装置３に私物を置き忘れている」旨の通知を、操作者に対して行ってよい。
【０１１７】
ここで、図９に示す管理コンピュータ４の制御フローにおいては、カードリーダ２から退室データを受けた管理コンピュータ４は、物品管理装置３の操作を行っていなくても、制限対象エリア１０の出入口１１の扉を開ける扉開信号を送信している（ステップＳ９２）。これとは異なり、管理コンピュータ４の制御フローとしては、カードリーダ２の操作のみが行われかつ、物品管理装置３の操作が行われていないときには、扉開信号を送信せず、物品管理装置３の操作と、カードリーダ２の操作との両方が行われたときに、扉開信号を送信してもよい。
【０１１８】
具体的に、図１３に示すフローチャートは、退室時における、管理コンピュータ４の制御の変形例を示している。図１３のフローにおけるステップＳ１３１、Ｓ１３３〜Ｓ１３５、Ｓ１３７、及び、Ｓ１３８はそれぞれ、図９のフローチャートにおけるＳ９１、Ｓ９３〜Ｓ９５、Ｓ９７、及び、Ｓ９８に対応する。
【０１１９】
図１３のフローのステップＳ１３１においてカードリーダ２からの退室データを受信した管理コンピュータ４は、扉開信号を送信しない。
【０１２０】
そして、管理コンピュータ４が、カードリーダ２からの退室データと、物品管理装置３からの取出データとを受信すれば（つまり、ステップＳ１３５の判定がＹＥＳであれば）、管理コンピュータ４は、ステップＳ１３６において、管理データベース４１の更新と共に、カードリーダ２に扉開信号を送信する。一方、管理コンピュータ４が、カードリーダ２からの退室データと、物品管理装置３からの取出データとの両方を受信することなく制限時間が経過すると、ステップＳ１３７の判定がＹＥＳになり、管理コンピュータ４は、ステップＳ１３８において、ＮＧ処理を行う。管理コンピュータ４はＮＧ処理として、例えば、カードリーダ２や物品管理装置３を通じて、操作者に、私物を物品管理装置３に置き忘れている可能性がある旨を警告してもよい。また、このときのＮＧ処理には、出入口１１のロック機構を解錠しないという処理も含まれることになる。
【０１２１】
尚、管理コンピュータ４は、ステップＳ１３８のＮＧ処理として、ロック機構を施錠する施錠信号を出力し、カードリーダ２は、出入口１１のロック機構を、解錠状態から施錠状態にする、又は、施錠状態に維持する、ようにしてもよい。
【０１２２】
（物品管理システムの運用に係る変形例）
前記においては、制限対象エリア１０内に私物を持ちこむことを防止するために、物品管理システム１、１００、１０１を利用していたが、物品管理システム１、１００、１０１は、所定のエリア内で使う物品を当該エリアから持ち出すことを禁止するために、利用することも可能である。
【０１２３】
例えば図１２に示す物品管理システム１０１は、制限対象エリアから物品の持ち出しを禁止する上で適した構成を有している。物品管理装置３には、制限対象エリア１０内で使用する物品であって、制限対象エリア１０から持ち出すことが禁止される物品（例えば、制限対象エリア１０においてのみ使用するオペレーションカード等）が保管されている。また、物品管理装置３は、制限対象エリア１０内で使用する鍵を保管する鍵管理装置としてもよい。
【０１２４】
物品の持ち出しを禁止する場合の、物品管理システム１０１の制御は、図５、図６、図８、及び、図１３の制御フローに準じて行われる。但し、制限対象エリア１０からの物品の持ち出しを禁止する場合、操作者は、制限対象エリア１０に入室するときに、物品管理装置３から物品を取り出し、制限対象エリア１０から退室するときに、物品管理装置３に物品を返却することになる。物品管理装置３の制御フローに関し、図５の制御フロー５１のステップＳ５１８において、物品管理装置３は、管理コンピュータ４に「取出データ」を送信し、図８の制御フロー８１のステップＳ８１８において、物品管理装置３は、管理コンピュータ４に「預入データ」を送信する。
【０１２５】
また、管理コンピュータ４の制御フローに関し、図６の制御フローにおいて、物品管理装置３からの「預入データ」は、「取出データ」に書きかわり、図１３の制御フローにおいて、物品管理装置からの「取出データ」は、「預入データ」に書きかわる。
【０１２６】
物品管理システム１０１の制御について、具体的に説明をする。先ず、操作者が制限対象エリア１０に入室しようとするときに、操作者は、カードリーダ２（ここでは第１カードリーダ２０１）を操作することにより、認証を行う（図５の制御フロー５２のステップＳ５２１〜５２３）。認証がＯＫであれば、管理コンピュータ４からの扉開信号に基づいて、カードリーダ２は、出入口１１の扉のロック機構を解錠する（ステップＳ５２５〜５２８）。操作者は、制限対象エリア１０に入室する。
【０１２７】
操作者は、必要に応じて、物品管理装置３を操作することによって、物品管理装置３に保管されている物品を、物品管理装置３から取り出す（図５の制御フロー５１のステップＳ５１１〜５１７）。このときに、物品管理装置３は、当該操作者が取り出しを許可されている物品を保管しているボックスのみ、ロック機構を解錠する。物品管理装置３から物品が取り出されると、取出データが、操作完了信号として物品管理装置３から管理コンピュータ４に送信される（ステップＳ５１８）。
【０１２８】
管理コンピュータ４は、操作者のＩＤ情報及び操作者の入室情報を受信すると共に、物品の取り出し情報を受信したときには、ＯＫ処理として管理データベース４１に記憶する（図６の制御フローのステップＳ６１〜Ｓ６６）。
【０１２９】
尚、管理コンピュータ４は、図６のステップＳ６５及びＳ６７のように、カードリーダ２からの入室データと、物品管理装置３からの取出データとの両方を受信しないときには、ＮＧ処理（ステップＳ６８）を行ってもよいし、制限対象エリア１０に入室しても物品管理装置３から物品を取り出すことは必須ではないことを考慮して、ＮＧ処理は省略してもよい。
【０１３０】
一方、操作者が制限対象エリア１０から退室しようとするときに、操作者は、カードリーダ２（ここでは、第２カードリーダ２０２）を操作することにより認証を行うと共に、認証がＯＫであれば、管理コンピュータ４に退室データを送信する（図８の制御フロー８２のステップＳ８２１〜８２６）。
【０１３１】
操作者が物品管理装置３を操作することにより、持ち出し禁止の物品を、物品管理装置３に返却すると、物品管理装置３は、管理コンピュータ４に、預入データを送信する（図８の制御フロー８１のステップＳ８１１〜８１８）。
【０１３２】
管理コンピュータ４は、カードリーダ２からの退室データを受信すると共に、物品管理装置３からの預入データを受信したときには、カードリーダ２に対して扉開信号を送信する（図１３の制御フローのステップＳ１３１〜Ｓ１３６）。これにより、カードリーダ２は、出入口１１のロック機構を解錠し、操作者は、制限対象エリア１０から退室することが可能になる（図８の制御フロー８２のステップＳ８２７〜Ｓ８２８）。
【０１３３】
一方、操作者が物品管理装置３を操作しないときには、物品管理装置３が預入データを管理コンピュータ４に送信しないため、所定時間の経過後、管理コンピュータ４は、ＮＧ処理を行う（ステップＳ１３５、Ｓ１３７、Ｓ１３８）。管理コンピュータ４は、ＮＧ処理として、例えば、カードリーダ２や物品管理装置３を通じて、退室しようとする操作者に対し、持ち出し禁止物品を返却していない旨を警告してもよい。また、操作者に対する警告に代えて、又は、警告に加えて、携帯端末６に通知を行ってもよい。さらに、出入口１１の解錠を行わないことも、ＮＧ処理の一つである。
【０１３４】
このように、物品管理システム１０１は、持ち出し禁止の物品が、制限対象エリア１０から持ち出されることを未然に防ぐことができる。
【０１３５】
尚、退室時に、操作者がカードリーダ２において認証操作をしたときに、管理コンピュータ４は、管理データベース４１に記憶されている情報に基づいて、当該操作者が、物品管理装置３から物品を取り出してないと判断したときには、カードリーダ２に扉開信号を送信してもよい。こうすることで、操作者は、制限対象エリア１０から、スムースに退室することができる。
【０１３６】
また、物品管理システムが物品の持ち出しを監視する構成においては、退室時の管理コンピュータ４の制御フローを、図１３の制御フローに代えて、図９の制御フローとしてもよい。
【０１３７】
また、物品管理システムが物品の持ち出しを監視する構成においては、物品管理装置を、保管する物品が保有している情報を読み取る機能を有するよう構成してもよい。この物品管理装置は、例えば磁気カードやＩＣカード等のカードを保管する装置であって、操作者の認証結果に基づいて、当該操作者に貸し出し可能なカードを物品管理装置から排出すると共に、カードの返却時には、カードに記憶されている情報をリーダライタによって読み取る。これにより、当該操作者に貸し出したカードが返却されたか否かを確認することが可能になる。このような情報を読み取る機能を有する物品管理装置を、物品管理システムに組み合わせることによって、持ち出し禁止の物品が、退室前に返却されたことを確認することができる。物品が持ち出されてしまうことを、より一層効果的に、防止することができる。
【０１３８】
尚、図１に示す物品管理システム１や、図１０に示す物品管理システム１００においても、制限対象エリアの外に物品は持ち出されるものの、物品の返却を管理することは可能である。
【０１３９】
また、図１２に示す物品管理システム１０１において、制限対象エリア１０内のカードリーダ２と物品管理装置３とを、図１０の物品管理装置３０のように一体化してもよい。
【０１４０】
（変形例）
尚、前述した物品管理システム１、１００、１０１において、物品の持ち込み禁止又は物品の持ち出し禁止を、さらに厳密に管理するために、物品管理装置３、３０に、操作者が物品の預け入れや、物品の取り出しを実際に行ったことを検知するためのセンサ等を設けてもよい。
【０１４１】
具体的には、例えば、保管部３１のボックス毎に、ボックスの内部に存在する物品を検知する光学式のセンサや、内部に存在する物品の重量を検知する重量センサを取り付けてもよい。これらのセンサの検知結果に基づいて、物品管理装置３、３０が操作されたことだけでなく、物品管理装置３、３０に、実際に物品が預け入れられたこと、及び、物品が取り出されたことを検知することができる。
【０１４２】
また、物品管理装置３、３０の付近にカメラ（つまり、イメージセンサ）を設置し、カメラによって、操作者が物品の預け入れや、物品の取り出しを行っていることを撮像してもよい。
【０１４３】
さらに、物品管理装置３、３０に保管される物品が、無線通信が可能な物品（例えば通信機能を有する電子機器や、ＩＣカード等）であれば、当該物品と通信を行うことによって、物品管理装置３、３０に物品が預け入れられたこと、及び、物品が取り出されたことを検知してもよい。
【０１４４】
前述した物品管理システム１、１００、１０１は、管理コンピュータ４を備えているが、管理コンピュータ４を省略して、カードリーダ２と物品管理装置３と互いに接続することにより、物品管理システムを構成してもよい。この構成の場合、カードリーダ２、及び、物品管理装置３のいずれか一方において、入退室データと、物品の預入／取出データとの整合を確認すればよい。尚、管理コンピュータ４を省略した物品管理システムは、ＮＧ処理として、出入口１１のロック機構を解錠しないようにしたり、操作者に対して、物品の預け入れ（又は返却）、又は、物品の取り出しを警告したりしてもよい。
【０１４５】
また、前述した物品管理システム１、１００、１０１は、制限対象エリア１０の外と、内とのそれぞれに、カードリーダ２を設置することにより、制限対象エリア１０への入室時及び制限対象エリア１０からの退室時の両方において認証を行って、物品の管理を行うようにしている。これとは異なり、物品管理システムは、制限対象エリア１０の外、又は、内のいずれか一方にのみカードリーダ２を設置することにより、制限対象エリア１０への入室時のみ、操作者の入室管理と物品の管理を行ってもよいし、制限対象エリア１０からの退室時のみ、操作者の退室管理と物品の管理を行ってもよい。
【０１４６】
さらに、前述した物品管理システム１、１００、１０１は、制限対象エリア１０への入室及び退室時に物品を管理することに限らず、例えば出勤及び／又は退勤に伴い物品を管理することに利用することも可能である。つまり、前述したカードリーダ２を、出勤及び退勤を管理する出退勤管理装置とし、出勤時に、物品管理装置３に私物を預け入れると共に、退勤時に、物品管理装置３から私物を取り出す運用に、物品管理システムを利用することが可能である。この場合も、物品管理システムは、一つのカードリーダ２を備えたシステムとして構成することが可能である。
【符号の説明】
【０１４７】
１  物品管理システム
１０  制限対象エリア（領域）
１１  出入口
１００  物品管理システム
１０１  物品管理システム
２  カードリーダ（移動管理部、移動管理装置）
２７  施解錠部（移動許可部）
３  物品管理装置（物品管理部）
３０  物品管理装置（物品管理部）
３１  保管部
３２  制御部
３７  施解錠部（移動許可部）
３５  認証部
３６  通信部
４  管理コンピュータ（移動管理部、移動管理装置）
【図１】
2019144688.tif 000003
【図２】
2019144688.tif 000004
【図３】
2019144688.tif 000005
【図４】
2019144688.tif 000006
【図５】
2019144688.tif 000007
【図６】
2019144688.tif 000008
【図７】
2019144688.tif 000009
【図８】
2019144688.tif 000010
【図９】
2019144688.tif 000011
【図１０】
2019144688.tif 000012
【図１１】
2019144688.tif 000013
【図１２】
2019144688.tif 000014
【図１３】
2019144688.tif 000015